(57)【特許請求の範囲】
【請求項１】
ビリヤード球と、高さを１１．４３〜１１．６１センチメートルとしたピンと、このピンを先端のピン立て部上に並べる長さが５．５７〜７．１４メートルのレーンとを備えて、このレーン上の手前端部においた前記ビリヤード球をキューで打つことにより、前記ピン立て部上のピンを倒してボーリングと同じルールに基づいた遊技を行うようにしたボーリング遊技機であって、
前記レーンの後端部に配置したピン回収装置と、このピン回収装置の下方に配置されて、前記各ピンの１０本を正三角形状に配列して収納するピン収納搬送装置と、このピン収納搬送装置が前進してきたときに前記各ピンを受け取り、これら各ピンを前記ピン立て部上に押し上げるピン押上装置とを備えて、回収した前記各ピンをボーリング遊技が行える状態に整列したまま、再び前記ピン立て部上に並べることができるようにし、
さらに、前記ピン収納搬送装置を、前記各ピンが１本づつ投入されて、前記ピン立て部上のピン立て位置にそれぞれ対応する個の第１ピン収納筒と、これらの第１ピン収納筒を支持して前後動されるピン収納台と、このピン収納台に組付けられて、前進端に移動したときに、前記各第１ピン収納筒の底部を開放する第１シャッタ板とを備えたものとしたことを特徴とするボーリング遊技機。
【請求項２】
前記ピン回収装置を、前記ピン立て部の後端に配置されて、底部が傾斜している回収バケットと、この回収バケット内にて回転して、前記各ピンを１本づつ持ち上げて上端開口に供給する回転板と、前記上端開口からの各ピンを受け取って下方の所定位置に落下させる案内樋とを備えたものとしたことを特徴とする請求項１に記載のボーリング遊技機。
【請求項３】
前記ピン押上装置を、前記各ピンが１本づつ投入されて、前記ピン立て部上のピン立て位置にそれぞれ対応する個の第２ピン収納筒と、これらの第２ピン収納筒を支持して前記ピン立て部の下方に配置され、カウンターウエイトの作用により常に上昇すべく付勢される上昇台と、この上昇台に追随すべく組付けられて、前記各第２ピン収納筒の底部に係止されるピン押上棒を有した上下動台とを備えたものとしたことを特徴とする請求項１に記載のボーリング遊技機。
【発明の詳細な説明】
【０００１】
【産業上の利用分野】
本発明は、ボーリング遊技機に関し、特にボーリング遊技において使用されているボーリングボールを使用するのではなく、ビリヤードの球をそのまま使用して遊技できるようにしたボーリング遊技機に関するものである。
【０００２】
【従来の技術】
通常のボーリング遊技は、直径２１．５ｃｍのボール（重さは４．５４Ｋｇ〜７．２５Ｋｇの７段階に分けられる）を使用して、１８．２８ｍ〜２３．４２ｍ先に立ててある、最大直径が１２．１ｃｍで高さが３７．５ｃｍのピンの１０本を倒すことにより行うものであり、最近、再び脚光を浴びてきているものである。そして、この通常のボーリング遊技は、前記ボールを２回投げたときの点数を競うものであって、これはこれで全身運動にもなる楽しい遊技である。
【０００３】
一方、古くから行われている他の遊技として、ビリヤードがあるが、ビリヤードでは球をキューによって突くとともに、長方形状に形成されているクッション枠内での球の反射を利用していて、これまた楽しい遊技である。
【０００４】
すなわち、ビリヤードでは、キューで球を突く位置や角度を調整することにより、球に回転を与えて複雑な動きをさせ、クッション枠での反射をどうするか等、様々な知的予測を行うおもしろい遊技が行える反面、ボーリング遊技におけるような、第１投で１０本のピンを倒したときのそう快感はえ難いものとなっている。これに対して、ボーリング遊技では、そのための相当広い遊技場を用意しなければならず、簡単には、ボーリング遊技機を設置することはできない。要するに、通常のボーリング遊技やビリヤードでは、それぞれ一長一短があるものなのである。
【０００５】
そこで、本発明は、ビリヤードの良さと、ボーリング遊技の良さの両方を生かすことはできないかと検討してきた結果、ボーリングボールをビリヤードの球に置き換えたらよいのでは、ということに思い致ったのである。ところが、今あるボーリング遊技機をそのまま使用しても、全くビリヤードのスケールには合わないことに気づき、本発明を完成したのである。
【０００６】
【発明が解決しようとする課題】
本発明は、以上の経緯に基づいてなされたもので、その目的とするところは、ビリヤードとボーリング遊技の両方の楽しさを一つにすることである。
【０００７】
すなわち、まず請求項１に係る発明の目的とするところは、ビリヤードの面白さをも有したボーリング遊技機を提供するとともに、全体の高さを低くすることができて設置場所の工夫が不変となり、ピンの供給を効率良くかつ円滑に行うことのできるボーリング遊技機を提供することにある。
【０００８】
さらに、請求項２〜請求項３に係る発明の目的とするところは、請求項１に係るボーリング遊技機の各構成部材をそれぞれ具体化して、ビリヤード球によるボーリング遊技を効率的に行えるようにすることである。
【０００９】
【課題を解決するための手段】
以上の課題を解決するために、請求項１に係る発明の採った手段は、後述する実施の形態の説明中において使用する符号を付して説明すると、まず、
「ビリヤード球３０と、高さを１１．４３〜１１．６１センチメートルとしたピン２０と、このピン２０を先端のピン立て部１１上に並べる長さが５．５７〜７．１４メートルのレーン１０とを備えて、このレーン１０上の手前端部においたビリヤード球３０をキューで打つことにより、ピン立て部１１上のピン２０を倒してボーリングと同じルールに基づいた遊技を行うようにしたこと」
である。
【００１０】
すなわち、この請求項１のボーリング遊技機１００は、ビリヤード球３０をレーン１０の手前端部からキューによって打つことにより、レーン１０の先端にあるピン立て部１１上の１０本のピン２０を倒すことにより、通常のボーリング遊技と同じルールに従ってボーリング遊技が行えるようにしたものであり、そのために、このボーリング遊技機１００を構成するレーン１０やその上に並べるピン２０を、ビリヤードの球３０の直径をボーリング遊技に使用するボールの直径で除した数値に縮小したものである。すなわち、この請求項１に係るボーリング遊技機１００は、現在一般的に使用されているレーンを、ビリヤード遊技において使用されている球３０の直径を通常のボーリングボールの直径で除した数値、つまり、１／３．２８に、幅及び長さを縮小したレーン１０を有している。具体的には、このレーン１０の長さは５．５７〜７．１４メートルであり、幅は３２５ミリメートルであって、所謂ガーター部分の幅は７０ミリメートルとしてある。勿論、各ピン２０も、通常のそれを１／３．２８倍したものであり、高さが１１．４３〜１１．６１センチメートルのものとしてある。
【００１１】
従って、このボーリング遊技機１００は、まず、ビリヤード球３０をキューで打つという、通常のビリヤードにおける知的遊技を楽しめるだけでなく、第１打で１０本のピン２０全てを倒す、通常のボーリング遊技における所謂「ストライク」をとったときのそう快感をも得ることができて、ビリヤードの面白さをも有したボーリング遊技が行えるのである。
【００１２】
また、上記のボーリング遊技機１００については、
「ビリヤード球３０と、高さを１１．４３〜１１．６１センチメートルとしたピン２０と、このピン２０を先端のピン立て部１１上に並べる長さが５．５７〜７．１４メートルのレーン１０とを備えて、このレーン１０上の手前端部においたビリヤード球３０をキューで打つことにより、ピン立て部１１上のピン２０を倒してボーリングと同じルールに基づいた遊技を行うようにしたこと」
とともに、
「レーン１１の後端部に配置したピン回収装置４０と、このピン回収装置４０の下方に配置されて、各ピン２０の１０本を正三角形状に配列して収納するピン２０収納搬送装置５０と、このピン収納搬送装置５０から各ピン２０を受け取り、これら各ピン２０をピン立て部１１上に押し上げるピン押上装置６０とを備えて、
ピン回収装置４０にて回収した各ピン２０を、ボーリング遊技が行える状態に整列したまま、ピン押上装置６０によって再びピン立て部１１上に並べることができるようにした」
ものである。
【００１３】
すなわち、この請求項１のボーリング遊技機１００は、レーン１０の後端側からピン立て部１１の下部にかけて、各ピン２０を回収して１本づつ次に送り込むピン回収装置４０と、このピン回収装置４０から受け取った各ピン２０を規定された配列に並べるとともに、ピン立て部１１の下部に向けて送り込むピン収納搬送装置５０と、このピン収納搬送装置５０から受け取った各ピン２０をピン立て部１１上に押し上げるピン押上装置６０とを備えたものとしたものである。
【００１４】
以上のように、ピン回収装置４０、ピン収納搬送装置５０、及びピン押上装置６０を配置したことによって、当該ボーリング遊技機１００の先端部は、図１にも示すように、人の背丈程の高さのものとなり、当該ボーリング遊技機１００全体を通常の部屋の中へ十分設置できるものとし得るものである。勿論、各ピン回収装置４０、ピン収納搬送装置５０、及びピン押上装置６０によって、ゲーム終了時における各ピン２０の排除や並べ直しは自動的に行え、当該ボーリング遊技機１００によるボーリング遊技を中断することもないのである。
【００１５】
また、ピン収納搬送装置５０を、各ピン２０が１本づつ投入されて、ピン立て部１１上のピン立て位置にそれぞれ対応する１０個の第１ピン収納筒５２と、これらの第１ピン収納筒５２を支持して前後動されるピン収納台５１と、このピン収納台５１に組付けられて、前進端に移動したときに、各第１ピン収納筒５２の底部を開放する第１シャッタ板５３とを備えたものとしたから、ピン立て部１１のピン出し穴１１ａに合わせた状態で各ピン２０を配列しながらピン出し穴１１ａの下方に搬送できるものとし得るのである。
【００１６】
なお、このボーリング遊技機１００においては、後述する実施形態にても説明するように、ピン立て部１１上の倒れたり不要となったピン２０をピン排除穴１２から排除するためのピン排除装置１０ａが設けてあるものである。このピン排除装置１０ａは、図５及び図６に示すようにピン立て部１１の両側にて駆動モータ１５により往復駆動される互いに平行な２本の駆動チェーン１４を有していて、これら各駆動チェーン１４に、連結ブロック１４ａを介して一枚の排除バー１３が、レーン１０と直交しながらレーン１０の方向に往復動し得るように連結してある。従って、この排除バー１３は、図５の図示右上部分に示すように、ボーリング遊技中はピン立て部１１の上方に位置していて、各ピン２０を排除する際には、各駆動チェーン１４の動きに伴って下降するとともに、ピン立て部１１上を前進後退して、ピン２０の排除を行うことになるのである。
【００１７】
従って、この請求項１に係るボーリング遊技機１００は、ビリヤード球３０をキューで打つという、通常のビリヤードにおける知的遊技を楽しめるだけでなく、第１打で１０本のピン２０全てを倒す、通常のボーリング遊技における所謂「ストライク」をとったときのそう快感をも得ることができて、ビリヤードの面白さをも有したボーリング遊技が行えるだけでなく、全体の高さを低くすることができて設置場所の工夫が不変となり、ピン２０の供給を効率良くかつ円滑に行うことのできるものとし得るのである。
【００１８】
そして、上記課題を解決するために、請求項２〜請求項３に係る発明の採った手段は、上記請求項１に係るボーリング遊技機１００について、それぞれ、
「ピン回収装置４０を、ピン立て部１１の後端に配置されて、底部が傾斜している回収バケット４１と、この回収バケット４１内にて回転して、各ピン２０を１本ずつ持ち上げて上端開口４１ａに供給する回転板４２と、上端開口４１ａからの各ピン２０を受け取って下方の所定位置に落下させる案内樋４３とを備えたものとしたこと」（請求項２）
であり、
「ピン押上装置６０を、各ピン２０が１本づつ投入されて、ピン立て部１１上のピン立て位置にそれぞれ対応する１０個の第２ピン収納筒６２と、これらの第２ピン収納筒６２を支持してピン立て部１１の下方に配置され、カウンターウエイト６１ａの作用により常に上昇すべく付勢される上昇台６１と、この上昇台６１に追随すべく組付けられて、各第２ピン収納筒６２の底部に係止されるピン押上棒６４を有した上下動台６３とを備えたものとしたこと」（請求項３）
である。
【００１９】
すなわち、これら請求項２〜請求項３に係るボーリング遊技機１００は、請求項１に係るボーリング遊技機１００を構成しているピン回収装置４０、ピン収納搬送装置５０及びピン押上装置６０についてそれぞれ上記のように具体的に構成することにより、各ピン２０の回収、ピン押上装置６０までの搬送、及び各ピン２０のピン立て部１１上までの押上げを効率的に行えるようにしたものである。以下、各ピン２０の動きを中心にして、各請求項２〜請求項３に係るボーリング遊技機１００の作用について具体的に説明していくと、次の通りである。
【００２０】
後述する実施の形態で説明するピン排除装置１０ａ等によって、レーン１０の後端部のピン排除穴１２から排除された各ピン２０は、図３に示すように、ピン回収装置４０側に落下する。勿論、このとき、使用されたビリヤード球３０は、図示しない選択装置によってピン２０と区別され、レーン１０の下側に配置されている戻り通路によって、図１の右下部に示したビリヤード球３０のように、遊技者の手元に戻される。
【００２１】
ピン回収装置４０は、落下してきた各ピン２０を受け取るのであるが、このピン回収装置４０内には回転板４２が駆動モータ４２ａによって回転駆動されていて、この回転板４２の外周に形成してあるピン収納溝内にピン２０が１本づつ捕捉される。捕捉された各ピン２０は、回転板４２の回転によって、ピン回収装置４０の上端に形成してある上端開口４１ａまで運ばれる。この上端開口４１ａはその下側にある案内樋４３に連通しているから、各ピン２０はこの案内樋４３内に落下する。この案内樋４３の先端は、次に述べるピン収納搬送装置５０における第１ピン収納筒５２に向けて開口しているから、各ピン２０はこのピン収納搬送装置５０側の各第１ピン収納筒５２内に落下することになる。
【００２２】
なお、この案内樋４３内を滑り落ちていく各ピン２０の方向は、細い方が先であったり、この逆であったりで一定していない。そこで、後述する実施形態の案内樋４３では、その途中の各ピン２０が滑り落ちる面に、ピン２０の先端よりは大きいが、ピン２０の下部よりも小さい長穴を形成している。この長穴を、ピン２０が太い側から通ればそのまま通過させる。（後方の細い部分は前方の太い部分が長穴を通過してしまうことから、長穴内に落ち込むことはない）一方、ピン２０が細い側から落下してくればこの細い部分が長穴内に少し落ち込み、後方の太い部分によりさらに押される。そうすると、ピン２０はその略中央部分において長穴の下端開口縁にひっかかり、このひっかかり部分を中心にしてそれまでの滑落慣性力によって半転する。つまり、後方であった太い部分が案内樋４３内で持ち上がり、ピン２０は結局それまでの方向に対して半転し、太い側を先にして案内樋４３の先端から落下するのである。つまり、ピン２０がいずれの方向で案内樋４３内に落下しようとも、その先端からピン収納搬送装置５０側に落下するまでには、全て太い方を先にするという整列がなされることになるのである。
【００２３】
さて、以上の案内樋４３から落下してくる各ピン２０は、ピン収納搬送装置５０によってどのように受け取られ、どのように、ピン立て部１１の下方に供給されるのかは、次の通りである。
【００２４】
通常のボーリングのルールに基づいた遊技を行うためには、合計１０本のピン２０を、図１３等に示すように、正三角形状に並べなければならないが、ピン回収装置４０側の案内樋４３は１本であり、しかも略固定的になっているから、ピン収納搬送装置５０側でこれに対応しなければならない。そこで、このピン収納搬送装置５０においては、まず図１３の（ａ）中に示した台回転モータ５５によって回転させるピン収納台５１を、この台回転モータ５５とともに機枠に対して水平方向に移動可能に組み付けておき、このピン収納台５１に、例えば図１２に示すような第１ピン収納筒５２の１０個を、図１３等に示したように正三角形状に取付たものとしたのである。
【００２５】
このようにすることにより、例えば、ピン回収装置４０側の案内樋４３の先端が、図１３中の（ａ）のａ1 で示した位置となるようにすれば、案内樋４３からのピン２０は、正三角形の中心に位置している第１ピン収納筒５２内に落下させ得る。また、案内樋４３の先端が、図１３の（ａ）に示した線ａ2  になるようにピン収納台５１を移動させて（この移動は駆動モータ５０ａによって駆動される搬送チェーンによりなされる）、そこでピン収納台５１を回転させれば、ピン収納台５１上で正六角形を形作っている６個の第１ピン収納筒５２内にピン２０を収納し得るし、ａ3 上になるようにピン収納台５１を移動させて回転させれば、最外周に位置して正三角形を形作っている３個の第１ピン収納筒５２内へのピン２０の投入が可能となるのである。
【００２６】
さて、各第１ピン収納筒５２内にピン２０が投入されたときには、図１１に示す第１シャッタ板５３が、図１２の（ａ）及び図１３の（ｂ）に示す位置にあって、ピン収納台５１側のピン落し穴５１ａは閉じられた状態にある。ここで、駆動モータ５０ａによってチェーンが駆動されて、ピン収納台５１が図３中の右側に示した位置、つまり図１４に示した位置にまで台回転モータ５５や第１シャッタ板５３とともに搬送されると、このピン収納台５１上等に設けてあったシャッタ板駆動レバー５４の一端が、図１４の（ｂ）に示すように、機枠側のストッパに係止するとともに第１シャッタ板５３を前方側に押す。
【００２７】
この第１シャッタ板５３には、図１１に示すように、ピン落し穴５３ａが１０個形成してあり、シャッタ板駆動レバー５４によって当該第１シャッタ板５３が前方へ押し出されることにより、これら各ピン落し穴５３ａが、図１２の（ｂ）に示したように、ピン収納台５１側のピン落し穴５１ａと一致することになるため、各第１ピン収納筒５２内のピン２０は、図３及び図９に示すように、下方のピン押上装置６０側に向けて落下することになるのである。
【００２８】
ピン押上装置６０は、上方から落下してきたピン２０を受け取る１０個の第２ピン収納筒６２を有していて、これら各第２ピン収納筒６２は、カウンターウエイト６１ａによって常に上昇すべく付勢されている上昇台６１に取付けてある。そして、ピン収納搬送装置５０側からピン２０を受け取ったときの上昇台６１は、その下側にある上下動台６３に立設したピン押上棒６４上のピン載置板６４ａが各第２ピン収納筒６２内に上方から係合することにより、この上下動台６３によって図９に示した位置に保持されている。各第１ピン収納筒５２内から第２ピン収納筒６２内へのピン２０の投下が終了すれば、ピン収納台５１等は、図３の左側に示した位置にまで戻り、次のピン２０の受取りのために待機する。
【００２９】
ピン収納台５１が立ち去った後では、上下動台６３が図１０等に示した駆動モータ６３ａの、例えばチェーンが駆動によって、上昇するのであるが、上昇台６１が自由に上昇し得る間、つまり、この上昇台６１がどこにも当接しない間は、各第２ピン収納筒６２の底部と各ピン押上棒６４上のピン載置板６４ａとの係合状態は、カウンターウエイト６１ａの上昇台６１を引き上げる力によって保持されたままである。
【００３０】
このピン押上装置６０によって、１０本のピン２０が上昇しているときには、レーン１０のピン立て部１１においては、図１６の（ｂ）に示すようになっている。つまり、ピン立て部１１には、図２にも示した通り、各ピン２０が下から出てくるためのピン出し穴１１ａが形成してあるが、このピン出し穴１１ａは図１６の（ｂ）に示したように、第２シャッタ板７０の各閉蓋７２によって閉じられている。このようにしてあるのは、ビリヤード球３０の第１投目で倒れたピン２０をピン排除装置１０ａによって排除する際に、このピン２０がピン出し穴１１ａ内に落ち込んでその後の作用を阻害しないようにするためである。
【００３１】
この第２シャッタ板７０は、ピン押上装置６０によって次のピン２０が上昇してくると、図１６の（ａ）に示すように開放されるが、それは次の作用による。すなわち、図１５に示すように、カウンターウエイト６１ａの作用によって上昇台６１が上昇すると、これに設けてあるカムローラ６５が上端部を曲げたカム軸７５に当接し始め、さらに上昇台６１が上昇すればこのカム軸７５を、図１５中の矢印にて示した方向に回動させる。このカム軸７５の上端に設けたローラが、第２シャッタ板７０側に設けてあるカムローラ７３ｂを図示方向へ押すことになるから、第２シャッタ板７０は図示右方へ強制的に移動させられるのである。
【００３２】
この第２シャッタ板７０の両側にはカムローラ７３ａが設けてあり、このカムローラ７３ａは、機枠に固定してあるレーン側フレーム７４のカム溝７４ａ内に係合しており、各カム溝７４ａは、図示左端から下方に下がって前方に伸びるものとしてあるから、図１５の右方に移動しようとしている第２シャッタ板７０は、そのカムローラ７３ａとカム溝７５との案内によって、下方へ少し下がりながら右方へ移動することになる。ピン押上装置６０の上昇台６１が上昇端まで上昇すれば、結果として、第２シャッタ板７０は、図１６の（ａ）に示した状態となって、レーン１０側のピン出し穴１１ａと第２シャッタ板７０側のピン出し穴７１とは同じ位置で開放されたものとなる。
【００３３】
ところで、上昇台６１に設けた各第２ピン収納筒６２内では、上下動台６３側のピン押上棒６４上に設けたピン載置板６４ａが単に上方から係合しているだけであり、上昇台６１は今最上昇端部にある。このため、上下動台６３は各ピン押上棒６４の長さ分だけ上昇可能であり、各ピン押上棒６４は第２ピン収納筒６２内を上方へ伸び出すことができる。つまり、各第２ピン収納筒６２内のピン２０は、下から持ち上がってくるピン押上棒６４上のピン載置板６４ａによって、図１６の（ａ）にて示したピン出し穴１１ａ及びピン出し穴７１からピン立て部１１上に上昇するのである。その状態が、図３の右上部分に示してある。
【００３４】
また、このピン押上装置６０による各ピン２０の上下動は、ビリヤード球３０の第１投後等においても行われるが、ただし、この場合は、倒れたピン２０の排除と、これに基づく点数計算のためであり、ピン２０の上端が第２シャッタ板７０のピン出し穴７１から少し下降した位置までとされる。つまり、ビリヤード球３０の第１投が終われば、上下動台６３が上昇台６１を少し引き下げる程度下降するのであり、このときには、当然各ピン押上棒６４及びピン載置板６４ａも降下して、ピン載置板６４ａ上に立ったままのピン２０があれば、そのまま第２ピン収納筒６２内に収納される。後述する実施形態の第２ピン収納筒６２では、その中にピン２０の有無を検知するセンサが設けてあって、このセンサにより、レーン１０のピン立て部１１上で倒れたピン２０の検出が間接的になされ、点数計算等がなされる。
【００３５】
一方、上昇台６１が下降することにより、図１５に示した第２シャッタ板７０は前述したのと逆の作動をし、図１６の（ｂ）にて示したように、その各閉蓋７２によってレーン１０側の各ピン出し穴１１ａを閉じるのである。ここで、ピン排除装置１０ａによるピン２０の排除がなされることは、前述した通りである。
【００３６】
倒れたピン２０による点数計算やその排除が済めば、ピン押上装置６０の上下動台６３及び上昇台６１は再び上昇し、図１６の（ａ）にて示すような位置に第２シャッタ板７０を配置するとともに、立ったピン２０が残っていれば、これをレーン１０側のピン出し穴１１ａから突出させるのである。
【００３７】
従って、請求項２に係るボーリング遊技機１００によれば、ピン排除装置１０ａによって排除されたピン２０を、１本づつピン収納搬送装置５０側の各第１ピン収納筒５２に供給できるものとすることができ、そして請求項３のボーリング遊技機１００によれば、整列されたピン２０をピン立て部１１のピン出し穴１１ａから突出させて、ピン立て部１１上にきれいに並べることができるものとし得るのである。このため、これら請求項２におけるピン回収装置４０、そして請求項３におけるピン押上装置６０は、当該ボーリング遊技機１００が十分な機能を発揮するために必要なそれぞれの機能を十分果たし、結果的に、各ボーリング遊技機１００におけるボーリング遊技を効率的に行えるのである。
【００３８】
【発明の実施の形態】
次に、上記のように構成した各請求項に係る発明を、図面に示した実施の形態であるボーリング遊技機１００について説明するが、この実施形態のボーリング遊技機１００は、上記各発明の全てを実質的に含むものであるため、以下では、実施形態のボーリング遊技機１００を中心に説明していくことととする。
【００３９】
図１には、本発明に係るボーリング遊技機１００の側面図が示してあり、このボーリング遊技機１００は、現在一般的に使用されているレーンを、ビリヤード遊技において使用されている球３０の直径を通常のボーリングボールの直径で除した数値、つまり、１／３．２８に、幅及び長さを縮小したレーン１０を有している。具体的には、このレーン１０の長さは７．１４メートルであり、幅は３２５ミリメートルであって、所謂ガーター部分の幅は７０ミリメートルとしてある。勿論、各図に出てくるピン２０も、通常のそれを１／３．２８倍したものであり、高さが１１．４３センチメートルのものとしてある。
【００４０】
以上の大きさとしたレーン１０は、図１に示したように、その図示右側に置いたビリヤード球３０（これは通常使用されているものそのままである）を図示しないキューによって、図示左方側のピン立て部１１上の各ピン２０に向けてビリヤード遊技の場合と同様に打つものであるから、その高さは人の腰あたりとなるようにしてある。そして、このレーン１０の図示左側には、図２の（ａ）示したように、正三角形状に並ぶ１０個のピン出し穴１１ａが形成してあり、これら各ピン出し穴１１ａの図示左側には、倒れたピン２０等を排除するピン排除穴１２が、図４にも示したように、形成してある。なお、一度打たれたビリヤード球３０は、このレーン１０の下側を通って戻り、図１にも示したように、遊技者の手元に還ってくるようにしてある。
【００４１】
また、このレーン１０の、図１の図示左側部分には、図２の（ｂ）に示すように、ピン立て部１１上を移動するピン排除装置１０ａと、ピン排除穴１２の後部に位置することになるピン回収装置４０と、このピン回収装置４０から各ピン２０を受け取るピン収納搬送装置５０と、このピン収納搬送装置５０から各ピン２０を受け取ってピン立て部１１上に押し上げることになるピン押上装置６０とが配置してある。
【００４２】
ピン排除装置１０ａは、図３、図５及び図６に示したように、ピン立て部１１の両側にて駆動モータ１５により往復駆動される互いに平行な２本の駆動チェーン１４を有していて、これら各駆動チェーン１４に、連結ブロック１４ａを介して一枚の排除バー１３が、レーン１０と直交しながらレーン１０の方向に往復動し得るように連結してある。
【００４３】
以上のピン排除装置１０ａによって、ピン立て部１１上から排除されるピン２０は、レーン１０のピン排除穴１２からピン回収装置４０側に落とされるのであるが、このピン回収装置４０は、各ピン２０を受け取る回収バケット４１と、この回収バケット４１内にて回転し、各ピン２０の収納部を外周に有した回転板４２と、回収バケット４１に形成してある上端開口４１ａに連なる案内樋４３とを有している。勿論、回転板４２は、回収バケット４１外に配置した駆動モータ４２ａによって回転駆動されているものである。
【００４４】
回収バケット４１の底部は、図３等にも示したように、回転板４２の下端に向けて傾斜したものとしてあるから、この回収バケット４１内に落下した各ピン２０は、回転板４２の外周に設けた収納部内に捕捉されて、回転板４２の回転に伴って前述した上端開口４１ａに送られる。そして、この上端開口４１ａから案内樋４３内に落下し、この案内樋４３の先端から、図８に示したように、ピン収納搬送装置５０側の各第１ピン収納筒５２内に送り込まれる。なお、この案内樋４３の途中には、各ピン２０の細い部分は通すが、太い部分は通さない開口（図示しない）が形成してあり、この開口の存在によって、各ピン２０がその太い側から案内樋４３を抜け出るようにしてある。つまり、各ピン２０は、案内樋４３の開口によって整理されてピン収納搬送装置５０側に落下するのである。
【００４５】
ピン収納搬送装置５０は、図３にも示したように、前述した案内樋４３の先端下方から、後述するピン押上装置６０側の上昇台６１上までの間を往復動するピン収納台５１と、及びこのピン収納台５１の下部に組付けられた図１１にも示す第１シャッタ板５３を有したものであり、ピン収納台５１には、図１２にも示した１０個の第１ピン収納筒５２が組付けてある。これらのピン収納台５１及び第１シャッタ板５３は、図１３の（ａ）中にも示した駆動モータ５０ａによって、前述した往復動と、図１３の（ａ）中に示したａ1 、ａ2 及びａ3 の位置に固定的な案内樋４３の先端が来るような微前進動とを行うものである。また、これらのピン収納台５１及び第１シャッタ板５３は、図１３及び図１４の（ａ）に示した、台回転モータ５５によって回転されるものであり、ピン回収装置４０側の案内樋４３の先端が、図１３の（ａ）中に示したａ1 、ａ2 及びａ3 の位置になるように微前進されたときに回転して、ピン２０の１本づつをピン収納台５１に設けた各第１ピン収納筒５２内に収納するようになっている。
【００４６】
ピン収納台５１に設けた１０本の第１ピン収納筒５２は、図１２に示したように、上下両端が開放されたものであり、この下端開口は、図１２の（ａ）にて示したように、第１シャッタ板５３によって閉じられ、またピン収納台５１側のピン落し穴５１ａに対向しているものである。第１シャッタ板５３には、図１１にも示したように、１０個のピン落し穴５３ａが形成してあり、第１シャッタ板５３がピン収納台５１、すなわち各第１ピン収納筒５２に対して前進して、そのピン落し穴５３ａが第１ピン収納筒５２の下端開口と一致したときに、図１２の（ｂ）にて示したように、第１ピン収納筒５２内のピン２０を下方に落下させることになるものである。
【００４７】
さて、この第１シャッタ板５３の前進であるが、この第１シャッタ板５３がピン収納台５１とともに駆動モータ５０ａによって、図１３の（ａ）に示した位置から図１４の（ａ）にて示した位置に前進する。これにより、図１４の（ｂ）にて示したように、ピン収納台５１側に揺動可能に設けてあるシャッタ板駆動レバー５４の一端が、当該ボーリング遊技機１００の機枠に設けてあるストッパに当接し、当該シャッタ板駆動レバー５４の他端が戻しスプリングの付勢力に抗して第１シャッタ板５３の後端を押すことになり、結果として第１シャッタ板５３は前進するのである。
【００４８】
この第１シャッタ板５３やピン収納台５１を有したピン収納搬送装置５０がその前進端、すなわち、レーン１０のピン立て部１１の下方にまで各ピン２０を配送する前には、当然のことながら、これらのピン２０を上方から受け取るために、ピン押上装置６０は、図８及び図９に示したように、最下端において待機している。
【００４９】
このピン押上装置６０は、図３にも示したように、１０個の第２ピン収納筒６２を一体化した上昇台６１と、この上昇台６１に対してピン押上棒６４によって係合する上下動台６３とを備えているものであり、上昇台６１は、図１０にも示したカウンターウエイト６１ａによって引き上げられることになるものであるが、上下動台６３は、図１０にも示した駆動モータ６３ａによってチェーン等を介して上下駆動されることになるものである。
【００５０】
換言すれば、上昇台６１はカウンターウエイト６１ａの作用によって常に上動すべく付勢されているものであり、これと各第２ピン収納筒６２の底部側で係合している上下動台６３が上動すれば上昇し、この上下動台６３が下方に引き下げられれば、これとともにカウンターウエイト６１ａの重力に抗して引き上げられることになる。そのような作用を発揮するために、上昇台６１と上下動台６３との係合は次のようになっている。
【００５１】
すなわち、図３及び図９に示しように、上昇台６１上連結してある１０個の第２ピン収納筒６２の底面には、ピン押上棒６４が上下動可能に挿通してあり、これら各ピン押上棒６４の上端に一体化したピン載置板６４ａが、各第２ピン収納筒６２の底面に上方から係合しているのである。また、各ピン押上棒６４の下端は上下動台６３に対して固定してある。従って、各ピン押上棒６４が第２ピン収納筒６２に対して上動すれば、そのピン載置板６４ａ上のピン２０が上昇させられるのであり、逆に各ピン押上棒６４が上下動台６３によって引き下げられれば、その上端のピン載置板６４ａを介して、各第２ピン収納筒６２、つまり上昇台６１がカウンターウエイト６１ａの重力に抗して引き上げられることになるのである。
【００５２】
以上のことから、図９に示したように、各ピン２０をピン収納搬送装置５０側から受け取る際のピン押上装置６０においては、その上下動台６３が最下端にまで効果されていて、この上下動台６３上の各ピン押上棒６４に設けてあるピン載置板６４ａが各第２ピン収納筒６２、従って上昇台６１を、カウンターウエイト６１ａの作用に抗して図示した位置にまで引き下げているのである。ピン２０の全てを各第２ピン収納筒６２にて受け取ると、これを検知した駆動モータ６３ａが作動して上下動台６３をゆっくりと上昇させるが、上昇台６１はカウンターウエイト６１ａの作用によってこの上下動台６３とともに上昇していき、最終的には、図１０に示したように、上昇台６１がレーン１０側のピン立て部１１の下面にて停止するとともに、各ピン押上棒６４が第２ピン収納筒６２内をさらに上昇していって、その上端に設けてあるピン載置板６４ａ上のピン２０をピン出し穴１１ａピン回収装置４０らピン立て部１１上に押し出すのである。
【００５３】
ここで、本実施形態のボーリング遊技機１００においては、これが採用している第２シャッタ板７０によって、ピン立て部１１のピン出し穴１１ａの開閉が次のようになされる。すなわち、レーン１０のピン立て部１１直下には、図１５に示したような第２シャッタ板７０が配置してあり、この第２シャッタ板７０には、ピン立て部１１の各ピン出し穴１１ａに対応することになるピン出し穴７１と閉蓋７２とがそれぞれ対で設けてあり、この第２シャッタ板７０が図１６の（ａ）に示した位置にあれば、ピン立て部１１の各ピン出し穴１１ａは、第２シャッタ板７０側のピン出し穴７１とともに開放された、つまり両者を通して各ピン２０が上昇し得る状態にされるのであり、第２シャッタ板７０が図１６の（ｂ）に示した位置になれば、ピン立て部１１の各ピン出し穴１１ａは第２シャッタ板７０の閉蓋７２によって閉じられ、ピン立て部１１上のピン２０がピン出し穴１１ａ内に入らないようになされる。
【００５４】
第２シャッタ板７０の側方には、図１５に示したように、４本のカムローラ７３ａが取付けてあり、これらのカムローラ７３ａは、機枠側に設けたレーン側フレーム７４の各カム溝７４ａに係合している。各カム溝７４ａは、図１５に示したように、図示左端部から下方に下がって前方へ延びるものとして形成してあるため、各カムローラ７３ａがこれら各カム溝７４ａに係合しながら移動することにより、第２シャッタ板７０は図１５に示した位置から下がってから図示右方側に案内されることになる。
【００５５】
この第２シャッタ板７０の前述した作動は、下から上がってきたピン押上装置６０側の上昇台６１によって制御される。すなわち、これらピン押上装置６０と第２シャッタ板７０との前方（図１５では図示右側）には、先端が少し曲がったカム軸７５が配置してあり、このカム軸７５に上昇してきた上昇台６１に設けてあるカムローラ６５が当接することにより、図１５中の矢印にて示したように、カム軸７５が回動することになる。このカム軸７５の上端にはカムローラ７５ａが設けてあって、このカムローラ７５ａが第２シャッタ板７０側のカムローラ７３ｂを引くことになる。そうすると、第２シャッタ板７０は前述したような動きをしながら、このカムローラ７３ｂによって前方に引かれるのである。
【００５６】
以上の結果、本実施形態における第２シャッタ板７０は、上昇台６１が完全に上昇してこない間には、図１６の（ｂ）に示したように、その閉蓋７２によってピン立て部１１の各ピン出し穴１１ａを閉じており、上昇台６１が完全に上昇し切ると、図１６の（ａ）にて示したように、下方かつ前方に移動して、各ピン出し穴１１ａを開放することになるのである。
【００５７】
【発明の効果】
以上、詳述した通り、まず請求項１に係る発明においては、上記実施形態にて例示した如く、
「ビリヤード球３０と、高さを１１．４３〜１１．６１センチメートルとしたピン２０と、このピン２０を先端のピン立て部１１上に並べる長さが５．５７〜７．１４メートルのレーン１０とを備えて、このレーン１０上の手前端部においたビリヤード球３０をキューで打つことにより、ピン立て部１１上のピン２０を倒してボーリングと同じルールに基づいた遊技を行うようにしたこと」
とともに、
「レーン１１の後端部に配置したピン回収装置４０と、このピン回収装置４０の下方に配置されて、各ピン２０の１０本を正三角形状に配列して収納するピン２０収納搬送装置５０と、このピン収納搬送装置５０から各ピン２０を受け取り、これら各ピン２０をピン立て部１１上に押し上げるピン押上装置６０とを備えて、
ピン回収装置４０にて回収した各ピン２０を、ボーリング遊技が行える状態に整列したまま、ピン押上装置６０によって再びピン立て部１１上に並べることができるようにし」、
さらに、「ピン収納搬送装置５０を、各ピン２０が１本づつ投入されて、ピン立て部１１上のピン立て位置にそれぞれ対応する１０個の第１ピン収納筒５２と、これらの第１ピン収納筒５２を支持して前後動されるピン収納台５１と、このピン収納台５１に組付けられて、前進端に移動したときに、各第１ピン収納筒５２の底部を開放する第１シャッタ板５３とを備えたものとした」
ことにその構成上の特徴があり、これにより、ビリヤードの面白さをも有したボーリング遊技機を提供することができるとともに、全体の高さを低くすることができて設置場所の工夫が不変となり、ピンの供給を効率良くかつ円滑に行うことができ、さらに、ピン立て部１１のピン出し穴１１ａに合わせた状態で各ピン２０を配列しながらピン出し穴１１ａの下方に搬送できるボーリング遊技機を提供することができるのである。
【００５８】
そして、請求項２〜請求項３に係る各発明においては、上記請求項１に係るボーリング遊技機１００の、ピン回収装置４０、ピン収納搬送装置５０、及びピン押上装置６０をそれぞれ具体化したことにその特徴があり、これにより、請求項１に係るボーリング遊技機の各構成部材をそれぞれ具体化して、ビリヤード球によるボーリング遊技を効率的に行えるようにすることができるのである。
【図面の簡単な説明】
【図１】本発明のボーリング遊技機を示す一部を破断した部分側面図である。
【図２】同ボーリング遊技機に採用されているレーンの平面図（ａ）と、このレーンのピン立て部の下方に配置されているピン収納搬送装置やピン押上装置とレーンのピン排除穴との位置関係を示す部分平面図（ｂ）である。
【図３】図１の図示左端部分を拡大したもので、当該ボーリング遊技機を構成しているピン排除装置、ピン回収装置、ピン収納搬送装置及びピン押上装置の位置関係を示すボーリング遊技機の部分拡大側面図である。
【図４】同ボーリング遊技機の回収バケット側からみた背面図である。
【図５】図１に示したピン排除装置を説明するための部分拡大側面図である。
【図６】図５に示したものの正面図である。
【図７】図２の（ｂ）に示した部分を拡大して示したもので、ピン収納搬送装置を構成しているピン収納台と、ピン押上装置を構成してる上昇台等との位置関係を示す部分拡大平面図である。
【図８】図３に対応したもので、ピン収納搬送装置がピン回収装置側からのピンを受け取る際の部分側面図である。
【図９】図３に対応したもので、図８に示した次の段階であって、ピン収納搬送装置がピン押上装置上に移動して、各ピンを渡している状態を示す部分側面図である。
【図１０】図３に対応したもので、各ピンを受け取った上昇台等が上昇端にまで移動した状態を示した部分側面図である。
【図１１】ピン収納搬送装置を構成している第１シャッタ板の拡大平面図である。
【図１２】ピン収納搬送装置を構成しているピン収納台に設けた第１ピン収納筒と、ピンと、第１シャッタ板との関係を示すもので、（ａ）は第１ピン収納筒が第１シャッタ板によって閉じられた状態を、（ｂ）は開放されている状態をそれぞれ示す部分拡大断面図である。
【図１３】ピン収納搬送装置を示すもので、（ａ）は、このピン収納搬送装置と後段側のピン押上装置との位置関係を示す部分平面図、（ｂ）はピン収納台と第１シャッタ板とシャッタ板駆動レバーとの位置関係を示す部分拡大平面図である。
【図１４】ピン押上装置上に移動したピン収納搬送装置を示すもので、（ａ）はその部分平面図、（ｂ）はシャッタ板駆動レバーによって第１シャッタ板が図示右方に移動した状態の部分拡大平面図である。
【図１５】ピン押上装置を構成している上昇台と、レーンのピン立て部１１の直下にある第２シャッタ板との関係を示す部分拡大斜視図である。
【図１６】レーンのピン立て部と第２シャッタ板との関係を示すもので、（ａ）は第２シャッタ板が移動してピン立て部の各ピン出し穴が開放された状態の部分断面図、（ｂ）は第２シャッタ板の各閉蓋によってピン立て部側のピン出し穴が閉じられた状態の部分断面図である。
【符号の説明】
１００    ボーリング遊技機
１０      レーン
１０ａ    ピン排除装置
１１      ピン立て部
１１ａ    ピン出し穴
１２      ピン排除穴
１３      排除バー
１４      駆動チェーン
１４ａ    連結ブロック
１５      駆動モータ
２０      ピン
３０      ビリヤード球
４０      ピン回収装置
４１      回収バケット
４１ａ    上端開口
４２      回転板
４２ａ    駆動モータ
４３      案内樋
５０      ピン収納搬送装置
５０ａ    駆動モータ
５１      ピン収納台
５１ａ    ピン落し穴
５２      第１ピン収納筒
５３      第１シャッタ板
５３ａ    ピン落し穴
５４      シャッタ板駆動レバー
５５      台回転モータ
６０      ピン押上装置
６１      上昇台
６１ａ    カウンターウエイト
６２      第２ピン収納筒
６３      上下動台
６３ａ    駆動モータ
６４      ピン押上棒
６４ａ    ピン載置板
６５      カムローラ
７０      第２シャッタ板
７１      ピン出し穴
７２      閉蓋
７３ａ・７３ｂ  カムローラ
７４      レーン側フレーム
７４ａ    カム溝
７５      カム軸
７５ａ    カムローラ
【図１】
0004698814.tif 000002
【図２】
0004698814.tif 000003
【図３】
0004698814.tif 000004
【図４】
0004698814.tif 000005
【図５】
0004698814.tif 000006
【図６】
0004698814.tif 000007
【図７】
0004698814.tif 000008
【図８】
0004698814.tif 000009
【図９】
0004698814.tif 000010
【図１０】
0004698814.tif 000011
【図１１】
0004698814.tif 000012
【図１２】
0004698814.tif 000013
【図１３】
0004698814.tif 000014
【図１４】
0004698814.tif 000015
【図１５】
0004698814.tif 000016
【図１６】
0004698814.tif 000017